(57)【要約】【課題】簡単な構成で、レイアウトの自由度を損なうことなく、レーザ加工機の遮光対象物が昇温することを効果的に抑制できるレーザ遮光装置を提供する。【解決手段】レーザ遮光装置１０は、レーザ溶接機１２のカメラ１４に向かう反射光Ｌｂを遮光するべく、カメラ１４と反射光Ｌｂとの間に介在し、且つ間隔をおいて並列する複数の板部４０を備える。複数の板部４０のうち、反射光Ｌｂが入射する側に配設された入射側板部４０ａの熱容量を、該入射側板部４０ａよりもカメラ１４側に配設された他の板部４０に比して大きくしてもよい。【選択図】図１
2019018220.tif 000002
【特許請求の範囲】
【請求項１】
ワークにレーザ光を照射するレーザ照射部と、前記レーザ光の反射光の到達範囲内に配設される遮光対象物とを有するレーザ加工機の前記遮光対象物に向かう前記反射光を遮光するレーザ遮光装置であって、
前記遮光対象物と前記反射光との間に介在し、且つ間隔をおいて並列する複数の板部を備えることを特徴とするレーザ遮光装置。
【請求項２】
請求項１記載のレーザ遮光装置において、
前記複数の板部のうち、前記反射光が入射する側に配設された入射側板部は、該入射側板部よりも前記遮光対象物側に配設された他の前記板部に比して熱容量が大きいことを特徴とするレーザ遮光装置。
【請求項３】
請求項２記載のレーザ遮光装置において、
前記入射側板部は、他の前記板部に比して、体積が大きいことを特徴とするレーザ遮光装置。
【請求項４】
請求項１〜３の何れか１項に記載のレーザ遮光装置において、
前記複数の板部のうち、前記反射光が入射する側と、前記遮光対象物に近接する側との間に配設された中間板部は、他の前記板部に比して熱抵抗が大きいことを特徴とするレーザ遮光装置。
【請求項５】
請求項４記載のレーザ遮光装置において、
前記中間板部は、他の前記板部に比して、延在方向に直交する断面積が小さいことを特徴とするレーザ遮光装置。
【請求項６】
請求項１〜５の何れか１項に記載のレーザ遮光装置において、
前記複数の板部は、３枚以上の前記板部からなり、
隣接する前記板部同士を連結する複数の連結部をさらに備え、
前記複数の板部の並列方向では、前記複数の連結部が、前記板部の延在方向の一端側と他端側とに交互に配置されることを特徴とするレーザ遮光装置。
【請求項７】
請求項１〜５の何れか１項に記載のレーザ遮光装置において、
前記複数の板部の並列方向に沿って延在し、前記複数の板部を一体に連結する連結部をさらに備えることを特徴とするレーザ遮光装置。
【発明の詳細な説明】
【技術分野】
【０００１】
本発明は、レーザ加工機の遮光対象物に向かうレーザ反射光を遮光するレーザ遮光装置に関する。
【背景技術】
【０００２】
例えば、特許文献１に開示されるように、レーザ照射部から照射されたレーザ光の反射光が遮光対象物に到達して、その温度が上昇することを抑制するため、遮光対象物に向かう反射光を遮光するレーザ遮光装置が知られている。このレーザ遮光装置は、反射光と遮光対象物との間に介在する１枚の金属製の遮光板を備える。
【先行技術文献】
【特許文献】
【０００３】
【特許文献１】実開平４−３９５８７号公報
【発明の概要】
【発明が解決しようとする課題】
【０００４】
しかしながら、上記のレーザ遮光装置では、反射光を受けて高温になった遮光板から遮光対象物へと輻射伝熱が生じてしまい、結局、遮光対象物の昇温を十分に抑制することが困難である。この輻射伝熱を抑制するべく、遮光板を冷却する冷却構造を設けると、レーザ遮光装置の構成が複雑化する懸念がある。また、遮光板と遮光対象物との間に十分な離間距離を設けると、レーザ遮光装置やレーザ加工機が大型化し、レイアウトの自由度が低下する懸念がある。
【０００５】
本発明は上記した問題を解決するためになされたもので、簡単且つ小型な構成で、レーザ加工機の遮光対象物が昇温することを効果的に抑制できるレーザ遮光装置を提供する。
【課題を解決するための手段】
【０００６】
上記の目的を達成するため、本発明は、ワークにレーザ光を照射するレーザ照射部と、前記レーザ光の反射光の到達範囲内に配設される遮光対象物とを有するレーザ加工機の前記遮光対象物に向かう前記反射光を遮光するレーザ遮光装置であって、前記遮光対象物と前記反射光との間に介在し、且つ間隔をおいて並列する複数の板部を備えることを特徴とする。
【０００７】
このレーザ遮光装置では、遮光対象物と反射光との間に介在する複数の板部のうち、反射光側に配置された板部に反射光が入射して、吸収又は反射されるため、該板部よりも遮光対象物側への反射光の進行を抑制すること、換言すれば、遮光対象物に向かう反射光を遮光することができる。また、反射光が入射して遮光対象物側の板部の温度が上昇しても、該板部と遮光対象物との間には、間隔をおいて並列する複数の板部が設けられているため、温度が上昇した板部から遮光対象物に向かう熱輻射を遮ることができる。
【０００８】
さらに、複数の板部同士は間隔をおいて並列し、互いの間に空気の層が形成されている。これによって、板部の放熱を促すことができるとともに、空気の層が断熱層となって、板部同士の並列方向の熱伝導を抑制することができる。これによって、特に遮光対象物側に配置された板部の温度が上昇することを良好に抑制できるため、該板部から遮光対象物への輻射伝熱を一層効果的に抑制することが可能になる。
【０００９】
以上から、このレーザ遮光装置によれば、反射光と遮光対象物との間に、上記のようにして複数の板部を設ける簡単且つ小型な構成で、レイアウトの自由度を損なうことなく、レーザ加工機の遮光対象物が昇温することを効果的に抑制できる。ひいては、遮光対象物の冷却期間を短縮することができるため、レーザ加工機における加工効率を向上させることも可能になる。
【００１０】
上記のレーザ遮光装置において、前記複数の板部のうち、前記反射光が入射する側に配設された入射側板部は、該入射側板部よりも前記遮光対象物側に配設された他の前記板部に比して熱容量が大きいことが好ましい。入射側板部の熱容量を他の板部よりも大きくすることで、入射側板部に反射光が入射しても、温度を上昇し難くすることができる。これによって、入射側板部の熱輻射（熱放射）のエネルギを小さくすることができるため、複数の板部による遮光対象物の昇温を抑制する効果を高めることが可能になる。
【００１１】
上記のレーザ遮光装置において、前記入射側板部は、他の前記板部に比して、体積が大きいことが好ましい。入射側板部の体積を大きくすること、換言すると、質量を大きくすることにより、容易に熱容量を大きくすることができる。
【００１２】
上記のレーザ遮光装置において、前記複数の板部のうち、前記反射光が入射する側と、前記遮光対象物に近接する側との間に配設された中間板部は、他の前記板部に比して熱抵抗が大きいことが好ましい。このように中間板部の熱抵抗を大きくすることにより、複数の板部同士の連結部等を介して、反射光の入射側の板部から中間板部に熱伝導が生じても、この熱が対象物側の板部に伝導することを抑制できる。その結果、板部から遮光対象物への輻射伝熱を良好に抑制して、遮光対象物の昇温を効果的に抑制できる。
【００１３】
上記のレーザ遮光装置において、前記中間板部は、他の前記板部に比して、延在方向に直交する断面積が小さいことが好ましい。中間板部の延在方向に直交する断面積を小さくすることによって、該延在方向への熱抵抗を容易に大きくすることができる。
【００１４】
上記のレーザ遮光装置において、前記複数の板部は、３枚以上の前記板部からなり、隣接する前記板部同士を連結する複数の連結部をさらに備え、前記複数の板部の並列方向では、前記複数の連結部が、前記板部の延在方向の一端側と他端側とに交互に配置されてもよい。上記の通り、隣接する板部同士では、互いの間に空気の層が介在するため、主に連結部を介して熱伝導する。
【００１５】
例えば、第１の板部と、第２の板部と、第３の板部とがこの順に隣接し、連結部が上記のように交互に配置される場合、第１の板部の熱は、延在方向の一端側に設けられた連結部を介して第２の板部に伝導する。そして、この熱は、第２の板部の一端側から他端側まで伝導した後、連結部を介して第３板部に伝導する。このように、第２の板部の延在方向全体を熱伝導経路として、換言すると、放熱経路として利用できることにより、遮光対象物側に設けられた板部の温度上昇を抑制でき、ひいては、遮光対象物の昇温を効果的に抑制することが可能になる。
【００１６】
上記のレーザ遮光装置において、前記複数の板部の並列方向に沿って延在し、前記複数の板部を一体に連結する連結部をさらに備えてもよい。この場合、一つの連結部により、複数の板部を一体に連結できるため、レーザ遮光装置の構成を一層簡単にすることが可能になる。
【発明の効果】
【００１７】
本発明のレーザ遮光装置によれば、簡単且つ小型な構成で、レーザ加工機の遮光対象物が昇温することを効果的に抑制できる。
【図面の簡単な説明】
【００１８】
【図１】図１は、本発明の実施形態に係るレーザ遮光装置が設けられたレーザ溶接機の概略構成図である。
【図２】図２Ａは、図１のレーザ遮光装置の要部側面図であり、図２Ｂは、図２ＡのＩＩＢ−ＩＩＢ線矢視断面図である。
【図３】図３Ａは、図２Ａの変形例に係る連結部を説明する要部側面図であり、図３Ｂは、図３ＡのＩＩＩＢ線矢視図である。
【図４】図４Ａは、図２Ａの他の変形例に係る連結部を説明する要部側面図であり、図４Ｂは、図４ＡのＩＶＢ−ＩＶＢ線矢視断面図である。
【発明を実施するための形態】
【００１９】
本発明に係るレーザ遮光装置について好適な実施形態を挙げ、添付の図面を参照しながら詳細に説明する。
【００２０】
以下では、図１に示すように、本実施形態に係るレーザ遮光装置１０が、レーザ加工機としてレーザ溶接機１２に設けられ、且つ該レーザ溶接機１２が有するカメラ１４を遮光対象とする例について説明する。しかしながら、特にこれらに限定されるものではなく、レーザ遮光装置１０は、レーザ加工を行う種々のレーザ加工機に対して、レーザ溶接機１２と同様に適用することができるとともに、カメラ１４に限らず、反射光の到達範囲内に配設された種々の遮光対象物に向かう反射光を遮光することができる。
【００２１】
先ず、レーザ溶接機１２について説明する。レーザ溶接機１２は、レーザ照射部１６と、ワイヤ供給部１８と、カメラ１４と、移動機構２０とを主に備える。レーザ照射部１６は、レーザ光源（不図示）と、該レーザ光源に伝送ケーブル２２を介して接続される照射ヘッド２４とを有し、照射ヘッド２４からワーク２８の溶接位置Ｐに向けてレーザ光Ｌａを照射する。
【００２２】
ワイヤ供給部１８は、ワイヤリール部（不図示）から供給される溶接ワイヤ２６を排出して溶接位置Ｐに案内する。カメラ１４は、溶接位置Ｐを撮像した撮像データを制御部（不図示）等に出力する。この撮像データを用いて、溶接品質の検査等を行うことが可能である。
【００２３】
移動機構２０は、その先端部に支持フレーム３０が取り付けられ、該支持フレーム３０に照射ヘッド２４が保持される。また、支持フレーム３０から延在する取り付け部材３２にワイヤ供給部１８及びカメラ１４が取り付けられる。従って、移動機構２０は、支持フレーム３０を移動させることで、照射ヘッド２４、ワイヤ供給部１８及びカメラ１４を一体に移動させることができる。これによって、レーザ光Ｌａの照射方向や照射位置、溶接ワイヤ２６の案内位置、カメラ１４の撮像位置等を調整することが可能になっている。
【００２４】
上記のように構成されるレーザ溶接機１２では、移動機構２０を動作させつつ、溶接位置Ｐにレーザ光Ｌａを照射するとともに溶接ワイヤ２６を供給することで溶接を行うことができる。この際、図１に示すように、照射ヘッド２４から出射されたレーザ光Ｌａの一部は、溶接位置Ｐで反射して反射光Ｌｂとなる。この反射光Ｌｂは、直接カメラ１４側に向かって進行したり、ワイヤ供給部１８等のレーザ溶接機１２の構成要素でさらに反射することでカメラ１４側に向かって進行したりする。
【００２５】
この反射光Ｌｂが照射されること等により、カメラ１４がその耐熱温度を超えて昇温すると、溶接位置Ｐの撮像を行うことが困難になり、ひいては、レーザ溶接機１２によって溶接を行うことが困難になる。本実施形態に係るレーザ遮光装置１０は、この反射光Ｌｂによるカメラ１４の昇温を抑制するべく、レーザ溶接機１２に設けられる。
【００２６】
図１、図２Ａ及び図２Ｂに示すように、レーザ遮光装置１０は、複数の板部４０と、これらの板部４０が間隔をおいて並列するように板部４０同士を連結する連結部４２と、板部４０を支持してカメラ１４と反射光Ｌｂとの間に介在させる支持部４４（図１参照）とを有している。
【００２７】
本実施形態では、複数の板部４０は、それぞれ１枚ずつの入射側板部４０ａと、中間板部４０ｂと、カメラ側板部（対象物側板部）４０ｃとの合計３枚からなり、反射光Ｌｂが入射する側からカメラ１４側に向かってこの順に配設されている。なお、入射側板部４０ａと中間板部４０ｂとカメラ側板部４０ｃとのそれぞれを、特に区別しないとき等には、単に板部４０ともいう。複数の板部４０は、互いに同じ材料から形成され、例えば、金属等からなる。
【００２８】
入射側板部４０ａは、該入射側板部４０ａよりもカメラ１４側に配設された他の板部４０（中間板部４０ｂ及びカメラ側板部４０ｃ）に比して体積が大きい。本実施形態では、図２Ａに示すように、入射側板部４０ａの厚さｔ１を、中間板部４０ｂの厚さｔ２及びカメラ側板部４０ｃの厚さｔ３の何れよりも大きくすることで、上記のように体積を設定している。このように、体積（質量）が大きい入射側板部４０ａでは、中間板部４０ｂ及びカメラ側板部４０ｃよりも熱容量が大きくなるため、温度が上昇し難くなっている。
【００２９】
中間板部４０ｂは、入射側板部４０ａ及びカメラ側板部４０ｃよりも熱抵抗が大きくなるように、その寸法が設定されている。本実施形態では、図２Ａに示すように、中間板部４０ｂの厚さｔ２が、入射側板部４０ａの厚さｔ１及びカメラ側板部４０ｃの厚さｔ３の何れよりも小さい。また、図２Ｂに示すように、入射側板部４０ａの幅Ｗ１、中間板部４０ｂの幅Ｗ２、カメラ側板部４０ｃの幅Ｗ３のうち、中間板部４０ｂの幅Ｗ２が最も小さい。
【００３０】
従って、入射側板部４０ａ、中間板部４０ｂ、カメラ側板部４０ｃの延在方向（図２Ａの矢印Ｘ１、Ｙ１方向）に直交する断面積をそれぞれＳ１、Ｓ２、Ｓ３（図２Ｂ参照）とすると、中間板部４０ｂの断面積Ｓ２が他の断面積Ｓ１、Ｓ３に比して小さくなる。このように寸法を設定して中間板部４０ｂの熱抵抗を大きくすることによって、特に、中間板部４０ｂの延在方向の熱伝導を生じ難くすることができる。
【００３１】
カメラ側板部４０ｃの厚さｔ３は、入射側板部４０ａの厚さｔ１よりも小さく、且つ中間板部４０ｂの厚さｔ２よりも大きい。カメラ側板部４０ｃの幅Ｗ３は、入射側板部４０ａの幅Ｗ１と略同じ大きさであり、中間板部４０ｂの幅Ｗ２よりも大きい。なお、図２Ａに示すように、入射側板部４０ａと、中間板部４０ｂと、カメラ側板部４０ｃとのそれぞれの延在方向の長さは互いに略同じである。これらの延在方向の長さは、反射光Ｌｂがカメラ１４に入射することを遮ることができ、且つカメラ１４の撮像を阻害しない大きさに設定される。
【００３２】
本実施形態では、連結部４２は、入射側板部４０ａと中間板部４０ｂを、その延在方向の一端側（図２Ａの矢印方向Ｘ１側）で連結する第１連結部４２ａと、中間板部４０ｂとカメラ側板部４０ｃをその延在方向の他端側（図２Ａの矢印方向Ｙ１側）で連結する第２連結部４２ｂとからなる。なお、図１では、第２連結部４２ｂの図示を省略している。つまり、図２Ａに示すように、複数の板部４０の並列方向（図２Ａの矢印Ｘ２、Ｙ２方向）において、第１連結部４２ａと第２連結部４２ｂは、該板部４０の延在方向の一端側と他端側とに交互に配置されている。
【００３３】
第１連結部４２ａ及び第２連結部４２ｂの各々は、スペーサ４６ａ、４６ｂと、連結ピン４８ａ、４８ｂとを有する。第１連結部４２ａのスペーサ４６ａは、入射側板部４０ａと中間板部４０ｂとの間に介在して、互いの間に所定の間隔が形成されるように維持する。第１連結部４２ａの連結ピン４８ａは、スペーサ４６ａを挟んで並列する入射側板部４０ａ及び中間板部４０ｂの延在方向の一端側を厚さ方向（並列方向）に貫通して、これらを一体に連結する。
【００３４】
第２連結部４２ｂのスペーサ４６ｂは、中間板部４０ｂとカメラ側板部４０ｃとの間に介在して、互いの間に所定の間隔が形成されるように維持する。第２連結部４２ｂの連結ピン４８ｂは、スペーサ４６ｂを挟んで並列する中間板部４０ｂ及びカメラ側板部４０ｃの延在方向の他端側を厚さ方向（並列方向）に貫通してこれらを一体に連結する。
【００３５】
スペーサ４６ａ、４６ｂの厚さに基づく、入射側板部４０ａと、中間板部４０ｂと、カメラ側板部４０ｃとの間隔は、各板部４０同士が非接触となる状態を維持でき、互いの間に空気の断熱層を形成することが可能な大きさであればよい。
【００３６】
図１に示すように、支持部４４は、例えば、延在方向の一端側がレーザ溶接機１２の取り付け部材３２に固定され、他端側が第１連結部４２ａを介して入射側板部４０ａに固定されている。これによって、カメラ１４と反射光Ｌｂとの間に配設された複数の板部４０では、カメラ側板部４０ｃがカメラ１４に臨み、且つ入射側板部４０ａに反射光Ｌｂが入射する。
【００３７】
本実施形態に係るレーザ遮光装置１０は、基本的には以上のように構成されるものである。次に、レーザ遮光装置１０の作用効果について説明する。
【００３８】
先ず、レーザ溶接機１２の溶接動作に伴い、カメラ１４側に向かって進行する反射光Ｌｂが生じた場合、該反射光Ｌｂは、入射側板部４０ａによって吸収又は反射される。このため、反射光Ｌｂが、入射側板部４０ａよりもカメラ１４側に進行することを抑制（遮光）できる。
【００３９】
入射側板部４０ａは、上記の通り熱容量が大きいため、反射光Ｌｂが入射しても温度が上昇し難く、熱輻射（熱放射）のエネルギを小さくすることができる。また、入射側板部４０ａとカメラ１４との間に配設された中間板部４０ｂ及びカメラ側板部４０ｃによって、入射側板部４０ａからカメラ１４に対する輻射伝熱（放射伝熱）を遮ること（遮熱すること）ができる。
【００４０】
さらに、複数の板部４０同士は間隔をおいて並列し、互いの間に空気の層が形成されている。このため、板部４０の放熱を促すことができるとともに、断熱性が高い空気の層によって、入射側板部４０ａから中間板部４０ｂ及びカメラ側板部４０ｃへの並列方向の熱伝導を抑制すること（断熱すること）ができる。これによって、中間板部４０ｂ及びカメラ側板部４０ｃの温度が上昇することを抑制できるため、該中間板部４０ｂ及びカメラ側板部４０ｃからカメラ１４への輻射伝熱も抑制できる。
【００４１】
以上から、レーザ遮光装置１０によれば、反射光Ｌｂとカメラ１４との間に、上記のようにして複数の板部４０を設ける簡単且つ小型な構成で、レイアウトの自由度を損なうことなく、レーザ溶接機１２のカメラ１４が昇温することを効果的に抑制できる。ひいては、カメラ１４の冷却期間を短縮することができるため、レーザ溶接機１２における溶接効率を向上させることが可能になる。
【００４２】
また、レーザ遮光装置１０では、入射側板部４０ａ及び中間板部４０ｂを連結する第１連結部４２ａと、中間板部４０ｂとカメラ側板部４０ｃとを連結する第２連結部４２ｂが、板部４０の延在方向の一端側と他端側に交互に配置されている。上記の通り、隣接する板部４０の間には、空気の層が介在するため、主に連結部４２を介して、板部４０間の熱伝導が生じる。従って、反射光Ｌｂにより加熱された入射側板部４０ａの熱は、延在方向の一端側に設けられた第１連結部４２ａを介して中間板部４０ｂに伝導する。そして、この熱は、中間板部４０ｂの延在方向の一端側から他端側まで伝導した後、第２連結部４２ｂを介してカメラ側板部４０ｃに伝導する。
【００４３】
このように、複数の板部４０それぞれの延在方向全体を熱伝導経路として、換言すると、放熱経路として利用できることにより、カメラ側板部４０ｃの温度上昇を効果的に抑制できる。この熱伝導経路では、上記の通り、中間板部４０ｂの熱抵抗を大きくして、その延在方向の熱伝導を生じ難くしているため、これによっても、入射側板部４０ａの熱をカメラ側板部４０ｃに伝え難くして、該カメラ側板部４０ｃの温度上昇を抑制できる。その結果、カメラ側板部４０ｃからの輻射伝熱を抑制して、カメラ１４の昇温を一層効果的に抑制することが可能になる。
【００４４】
さらに、レーザ遮光装置１０では、上記の通り、複数の板部４０を、互いに同じ材料から形成することとした。これによって、レーザ遮光装置１０の構成を一層簡単にして、低コスト化等を図ることができる。
【００４５】
本発明は、上記した実施形態に特に限定されるものではなく、その要旨を逸脱しない範囲で種々の変形が可能である。
【００４６】
例えば、レーザ遮光装置１０は、上記の連結部４２に代えて、図３Ａ及び図３Ｂに示す変形例に係る連結部５０や、図４Ａ及び図４Ｂに示す他の変形例に係る連結部６０を備えてもよい。なお、図３Ａ〜図４Ｂに示す構成要素のうち、図１、図２Ａ及び図２Ｂに示す構成要素と同一又は同様な機能及び効果を奏するものには同一の参照符号を付し、詳細な説明を省略する。
【００４７】
先ず、図３Ａ及び図３Ｂに示すように、連結部５０は、入射側板部４０ａ及び中間板部４０ｂの延在方向の他端側（図３Ａの矢印方向Ｙ１側）を溶接により連結する第１連結部５０ａと、中間板部４０ｂ及びカメラ側板部４０ｃの延在方向の一端側（図３Ａの矢印方向Ｘ１側）を溶接により連結する第２連結部５０ｂとからなる。すなわち、連結部５０は、板部４０同士の溶接部である。
【００４８】
レーザ遮光装置１０は、このような連結部５０を備える場合であっても、上記の連結部４２を備える場合と同様の作用効果を得ることができる。しかも、溶接部である連結部５０では、その部品点数を削減することや、省スペース化を図ることが可能になる。
【００４９】
次に、図４Ａ及び図４Ｂに示すように、連結部６０は、入射側板部４０ａと、中間板部４０ｂと、カメラ側板部４０ｃとを一体に連結するものであり、スペーサ６２ａ、６２ｂ及び連結ピン６４を有する。スペーサ６２ａは、入射側板部４０ａと中間板部４０ｂとの間に介在して、互いの間に所定の間隔を形成する。スペーサ６２ｂは、中間板部４０ｂとカメラ側板部４０ｃとの間に介在して、互いの間に所定の間隔を形成する。
【００５０】
連結ピン６４は、上記のようにスペーサ６２ａ、６２ｂを介在させた入射側板部４０ａと中間板部４０ｂとカメラ側板部４０ｃとの延在方向の一端側（図４Ａの矢印方向Ｘ１側）を厚さ方向に貫通して、これらを一体に連結する。なお、連結部６０は、スペーサ６２ａ、６２ｂと連結ピン６４とからなる構成に代えて、複数の板部４０を延在方向の一端側で一体に連結する溶接部（不図示）であってもよい。
【００５１】
レーザ遮光装置１０は、このような連結部６０を備える場合であっても、上記の連結部４２を備える場合と同様の作用効果を得ることができる。しかも、一つの連結部６０により、全ての板部４０を一体に連結できる分、部品点数を削減することや、該連結部６０の取り付け工程を簡素化することが可能になる。
【００５２】
なお、連結部４２、５０、６０は、上記に挙げた構成に限定されるものではなく、並列する複数の板部４０を互いに間隔をおいた状態で連結可能なものであればよい。
【００５３】
上記の実施形態では、複数の板部４０が、それぞれ１枚ずつの入射側板部４０ａと、中間板部４０ｂと、カメラ側板部４０ｃとの合計３枚から構成されることとしたが、特にこれに限定されるものではない。複数の板部４０は、２枚であってもよいし、４枚以上であってもよい。複数の板部４０が何れの枚数から構成される場合であっても、反射光Ｌｂが入射する側の板部４０の熱容量を他の板部４０よりも大きくすることで、上記の作用効果を得ることができる。
【００５４】
上記の実施形態では、複数の板部４０を互いに同じ材料から形成することとしたが、複数の板部４０を互いに異なる材料から形成してもよい。この場合、入射側板部４０ａの材料として、他の板部４０の材料よりも比熱が大きいものを選定することにより、入射側板部４０ａの熱容量を容易に大きくすることができる。同様に、中間板部４０ｂの材料として、他の板部４０の材料よりも熱抵抗が大きいものを選定することによって、中間板部４０ｂの熱抵抗を容易に大きくすることができる。
【００５５】
上記の実施形態では、入射側板部４０ａの熱容量を他の板部４０よりも大きくし、且つ中間板部４０ｂの熱抵抗を他の板部４０よりも大きくすることとしたが、特にこれに限定されるものではない。複数の板部４０は、互いに略同じ熱容量となるように構成してもよいし、互いに略同じ熱抵抗となるように構成されていてもよい。また、入射側板部４０ａの熱容量を他の板部４０よりも大きくし、且つ熱抵抗については複数の板部４０同士で略同じとなるように構成してもよい。中間板部４０ｂの熱抵抗を他の板部４０よりも大きくし、且つ熱容量については複数の板部４０同士で略同じとなるように構成してもよい。
【符号の説明】
【００５６】
１０…レーザ遮光装置                      １２…レーザ溶接機
１４…カメラ                              ４０…板部
４０ａ…入射側板部                        ４０ｂ…中間板部
４０ｃ…カメラ側板部                      ４２、５０、６０…連結部
４２ａ、５０ａ…第１連結部                ４２ｂ、５０ｂ…第２連結部
４４…支持部                              Ｌａ…レーザ光
Ｌｂ…反射光
【図１】
2019018220.tif 000003
【図２】
2019018220.tif 000004
【図３】
2019018220.tif 000005
【図４】
2019018220.tif 000006